(57)【要約】【課題】  建物の外観で、見栄えの良くないとされる建物外周縁の床下部分に物や草花等を飾ることが可能な床下陳列装置を提供する。【解決手段】  建物の外周縁の基礎に建物躯体を支持する複数の立ち上がり部６を離間配置し、その間に開口部１を形成し、その開口部１に連設する床下部分に屋外から観賞可能な陳列空間５を設け、その陳列空間５は開口部１を残して区画部材２で区画される。陳列空間５の内部には照明装置４を、開口部１には透明な仕切り部材３が設けられている。【選択図】  図２
2006194064.tif 000002
【特許請求の範囲】
【請求項１】
建物の外周縁に沿った基礎に、建物躯体を支持する複数の立ち上がり部を離間して設け、その立ち上がり部の間に開口部が形成され、その開口部に連接する床下部分に屋外から観賞可能な陳列空間が設けられ、その陳列空間は開口部を残して区画部材によって区画されていることを特徴とする床下陳列装置。
【請求項２】
上記陳列空間に、照明装置が設けられていることを特徴とする請求項１記載の床下陳列装置。
【請求項３】
上記開口部に透明な仕切り部材が設けられていることを特徴とする請求項１又は請求項２記載の床下陳列装置。
【請求項４】
上記陳列空間の上部に床開口部が設けられていることを特徴とする請求項１乃至請求項３のいずれかに記載の床下陳列装置。
【発明の詳細な説明】
【技術分野】
【０００１】
本発明は、建物の外周の床下部分に物や植物を飾る床下陳列装置に関する。
【背景技術】
【０００２】
近年の街並み景観への関心と、建物に個性を出す試みにより、建物の外部に対する飾りつけが盛んに行われている。例えば、建物の出窓部分に外部に向けた飾りつけをしたり、部屋の窓際にフラワーボックスを設けて、花を飾ったりするなどにより建物に個性を出すことが行われている。例えば、特許文献１記載の発明の飾り棚では、飾り棚を窓の外部に設けて、部屋の内部からも建物の外部からも飾られた物を見やすくしたものがある。また他には、外壁を周囲の家と統一感のあるものとしたり、外構に草花を植えたりなど街並み調和を図ることもなされている。
その中でも、建物の外周の基礎立ち上がり部などの床下部分は、コンクリート面が露出することなどから、見栄えが良くないとされやすく、化粧仕上げをしたり、物などで隠したりすることが多い。又、特許文献２に記載のように床下空間を屋外側より利用する収納庫も提案されているが、これも基礎立ち上がり部の孔に設ける収納庫が外観の見栄えを悪いものにしていた。特に道路に面する部分では、それらの前面に物を飾ったり、草木を植えたりするなどにより、出来る限り床下部分が見えないようにしている場合が多い。
【特許文献１】特開２００１−１１２５６０号公報
【特許文献２】実開平２―７９７４９号公報
【発明の開示】
【発明が解決しようとする課題】
【０００３】
上記の特許文献１や出窓等に物を飾ることにより建物に個性を出す場合では、建物の内部からと外部からの両方から飾られた物を楽しめるという利点があるが、窓は通常部屋に設けられるため、外部より窓越しに部屋の内部が覗かれやすい。また、道路に面する側の床下部分の前面に物を飾ったり、草木を植えたりしたいと思っても、敷地が狭いところでは、道路と建物との間がほとんどなく、なかなか物や植栽の為の空間を確保することが困難な場合が多い。
【０００４】
そこで、本発明の目的は、上記課題を解決することを目的とし、見栄えの良くないとされる建物外周の床下部分に物や草花等を飾ることが可能な床下陳列装置を提供することである。
【課題を解決するための手段】
【０００５】
本発明は、上記目的を達成するためになされたものであり、請求項１に記載の発明の床下陳列装置は、建物の外周縁に沿った基礎に、建物躯体を支持する複数の立ち上がり部を離間して設け、その立ち上がり部の間に開口部が形成され、その開口部に連接する床下部分に屋外から観賞可能な陳列空間が設けられ、その陳列空間は開口部を残して区画部材によって区画されていることを特徴とする。
【０００６】
請求項１に記載の発明では建物の外周縁に、建物躯体の荷重を受ける立ち上がり部が離間配置され、その間に開口部が形成される。よって、立ち上がり部の間を出来る限り大きくすることが、陳列物が観賞しやすい開口部が形成できることになるため好ましい。また、複数の開口部が連続して形成されるものであってもよい。
【０００７】
区画部材により区画する範囲としては、陳列物に合わせた奥行きや幅を確保した位置で区画が行われる。立ち上がり部の高さが４００ｍｍ程度であれば開口部から奥行き方向に３００ｍｍ乃至６００ｍｍ程度は確保することが好ましい。また、幅については、少なくとも開口部の幅と同程度以上の幅で区画することが陳列空間を有効に使用できるため好ましい。その区画形状としては、例えば、開口部方向が開放されたコの字形状や円弧状などが使用できる。そして、開口部に連接し、区画部材により区画された空間が、陳列物が飾られる陳列空間となる。なお、複数の開口部に渡って区画し、陳列空間を形成してもよい。また、区画範囲として、陳列空間の周囲を完全に区画するものでなく、側面部分が開放しても良い。
【０００８】
この陳列空間の床面については、例えば、陶器等の物を飾る場合はベタ基礎や土間コンクリートで床盤を設けることが、床面が安定するため好ましい。草花等を飾る場合であれば、床盤を設けず地面のまま残し土が露出した状態とすることが、草花を直接地面に植えることが出来るため好ましい。なお、陳列空間に床盤を設ける場合であっても、部分的に床盤を設けず土が露出するようにし、その他の床面は床盤を設けるようにしても良い。また、陳列空間の天井面については、化粧合板などで区画することが建物の構造材等が陳列空間から見えることがなく好ましい。
【０００９】
また、区画部材の材料及び施工手段については、例えば、基礎施工時に間仕切部材をコンクリートで壁状に施工したり、基礎施工後にコンクリートブロックを積み上げて壁状に施工したり、鋼板等で箱形状に加工して区画を行うことなどができる。
【００１０】
請求項１記載の発明の構成により、開口部と区画部材で区画された空間を陳列空間として陳列物を飾ることができる。この空間に趣味のものを飾ったり、草花を植えたりすることによって、見栄えの良くないとされる床下部分に屋外から観賞できる陳列空間が構成され、建物に個性を出すことができる。
【００１１】
請求項２に記載の発明の床下陳列装置は、請求項１記載の床下陳列装置であって、陳列空間に、照明装置が設けられていることを特徴とする。
【００１２】
照明装置は、陳列物を効果的に観賞できるように使用されるものである。よって、陳列物に合った光源が使用される。例えば、ハロゲンランプなどの高演色性の光源を使用すると陳列物をはっきりと見せることが可能となり、白熱灯などを使用すると暖かみのある空間を演出できる。なお、色のついた光源を使用してもよい。また、照明装置を設ける位置としては、陳列空間の天井面に設けたり、側面に設けたりするなど陳列物に合った位置に設けることができる。
【００１３】
請求項２記載の発明の構成にすることにより、陳列物が照明で照らされて効果的に観賞することができる。また、夜間でも観賞ができる。
【００１４】
請求項３に記載の発明の床下陳列装置は、請求項１又は請求項２記載の床下陳列装置であって、上記開口部に透明な仕切り部材が設けられていることを特徴とする。
【００１５】
透明な仕切り部材としては、陳列物の観賞を妨げない程度の透明性があるものであれば半透明や色のついたものであってもよい。また、仕切り部材全てが透明である必要はなく、デザイン的に不透明な部分があっても構わない。なお、材質としては、例えば、各種の透明ガラス板や透明アクリル板などが使用できるが、強化ガラスや合わせガラスを使用することが強度や安全性があり好ましい。
この透明な仕切り部材により陳列空間と建物の屋外とが仕切られる。この透明な仕切り部材は完全に仕切ることが出来るように開口部の全体に設けることが陳列空間の内部に、埃、小石、泥、小動物、虫などが侵入したり、雨水が浸入したりすることを防止できるため好ましい。陳列空間の陳列物の出し入れを考慮すると、透明な仕切り部材を引き違い障子とすることが、陳列物の出し入れの作業が容易になり好ましい。また、引き違い障子とした場合は防犯用に錠を設けることが人に陳列物を持ち去られることなどを防止できるため好ましい。
【００１６】
請求項３記載の発明の構成により、透明な仕切り部材によって陳列空間と建物の屋外が仕切られるため、観賞を妨げることなく陳列空間を保護できる。
【００１７】
請求項４に記載の発明の床下陳列装置は、請求項１乃至請求項３のいずれかに記載の床下陳列装置であって、上記陳列空間の上部に床開口部が設けられていることを特徴とする。
【００１８】
この床開口部は、陳列空間の上部にある建物の室内の床面などに設けられるものである。この床開口部は、蓋などを設けないか、透明部材などで蓋をすると陳列空間内部が建物の室内から観賞することができるため好ましい。また、透明部材等の蓋を設ける場合であっても、開閉自在な構成にすると建物の室内から陳列物の出し入れができるため好ましい。なお、開口部の大きさは陳列空間と同程度とすると床開口部より、陳列空間内部の全体を見渡すことができ好ましい。
【００１９】
請求項４記載の発明の構成により、陳列空間上部の建物の室内から、床開口部を通して陳列空間内部を観賞することができたり、陳列物の出し入れをすることができる。
【発明の効果】
【００２０】
請求項１記載の発明では、見栄えの良くないとされる建物外周縁に沿った床下部分に屋外から観賞可能な陳列空間が構成され、趣味のものを飾ったり、草花を植えたりすることができ建物の個性を出すことができる。また、建物の外観や街並み景観の向上にもつながる。
請求項２記載の発明では、照明装置を設けることにより、陳列物が照明で照らされて効果的に観賞することができる。また、夜間でも観賞することができる。
請求項３記載の発明では、透明な仕切り部材によって陳列空間と建物の屋外が仕切られることにより、観賞を妨げることなく陳列空間を保護できる。
請求項４記載の発明では、床開口部を通して建物の室内から陳列空間の観賞や、陳列物の出し入れができる。
【発明を実施するための最良の形態】
【００２１】
以下、本発明の実施の形態を図面に基づいて説明する。
【実施例１】
【００２２】
実施例１は請求項１乃至３記載の発明の実施の形態であり、以下図面１乃至３に基づいて説明をする。
図１乃至図３はユニット建物の道路に面する側に、床下陳列装置Ａを用いた例を示す図であり、図１は斜視図であり、図２は縦断面図を示し、図３は平面図を示す。
【００２３】
本実施例の床下陳列装置Ａはユニット建物Ｄの床下部分に、開口部１、区画部材２、引き違い障子３（透明な仕切り部材）、照明装置４、陳列空間５、立ち上がり部６、底盤１０（ベタ基礎）によって構成されている。
【００２４】
ユニット建物Ｄの基礎であるベタ基礎１０に、建物躯体を支持する複数の立ち上がり部６が離間して設けられている。なお、立ち上がり部６の上端の高さはベタ基礎１０上面より約４００ｍｍとなっている。この立ち上がり部６の上にユニットが据付けられてユニット建物Ｄとなっている。ユニット建物Ｄの１階床部分は、ユニット建物を構成する建物ユニット毎に床梁７及び床根太８が一定間隔で配置され、上部に床板９を載せた構成となっている。また、床梁７及び床根太８の間及び構造材、外壁内側などには断熱材１４が挿入されている。
【００２５】
上記ユニット建物Ｄの外周縁に沿った立ち上がり部６と立ち上がり部６の間に、開口部１が形成されている。なお、立ち上がり部６と立ち上がり部６の間は約２０００ｍｍとなっている。
【００２６】
この開口部１に連接する床下部分に屋外から観賞可能な陳列空間５が設けられている。また、この陳列空間５は、前記開口部１を残して、コンクリートブロックを積み上げた壁状の区画部材２によって、背面、側面が各々区画されている。背面の区画部材２は開口部１より奥行き方向に４５０ｍｍの位置にあり、対面する側面の区画部材２間の長さは開口部１の幅と同寸法となっている。更に、背面及び側面それぞれの区画部材２の屋内側には断熱材１５が被覆されている。
また、陳列空間５の天井面は化粧合板１４を床梁７にビス留めすることにより区画されており、陳列空間５の床面１６はベタ基礎によりコンクリートの底盤１０が形成されている。
【００２７】
陳列空間５の天井面のほぼ中央付近には照明装置４が設けられている。この照明装置４には、高演色性の光源で陳列物をはっきりと見せることが可能なハロゲンランプが使用されている。この照明装置４への電気配線は床梁６、床根太７、床板８及び断熱材１４の間を配線され、室内の間仕切内を通って間仕切に設けられたスイッチ１３に接続されている。室内からこのスイッチ１３を操作することにより照明装置４の点灯、消灯を行うことが可能となっている。
【００２８】
開口部１には、透明な仕切り部材としてガラスの引き違い障子３が設けられている。この引き違い障子３は開口部１の全面を覆う大きさで、障子枠の中に透明な合わせガラスがはめ込まれている。また、引き違い障子３には屋外より施錠可能な錠１２が取り付けされている。
【００２９】
次にこの床下陳列装置Ａの使い方を説明する。例えば、陳列物として趣味の陶器を飾る場合は、まず、開口部１の引き違い障子３の錠１２を開錠する。次に引き違い障子３を開き、趣味の陶器を陳列空間５に飾る。飾りつけが終了すると再び引き違い障子３を閉め、錠１２を施錠する。以上より、建物の屋外より本実施例の床下陳列装置内に飾られた趣味の陶器を観賞することが可能となる。また、夜間での観賞又は、より効果的に観賞する場合は、建物の室内の間仕切に設けたスイッチ１３を操作し、陳列空間５の天井面に設けられた照明装置４を点灯させて観賞する。
【００３０】
本実施例の構成により、見栄えの良くないとされる建物外周縁の床下部分に、建物の外部から観賞可能な陳列空間５が構成され、建物の個性を出すことができる。また、建物の外観や街並み景観の向上にもつながる。
また、照明装置４を設けることにより、陳列物が照らされて効果的に観賞したり、夜間でも観賞することができる。
また、透明な仕切り部材である引き違い障子３により、陳列空間５と建物の屋外が仕切られ、観賞を妨げることなく陳列空間を保護できる。更に、開口部１の全面を覆う大きさに設けているので陳列空間５の内部に、埃、小石、泥、小動物、虫などが侵入したり、雨水が浸入したりすることを防止することができる。
また、引き違い障子３が錠１２で施錠されることにより、人に陳列空間５から陳列物を持ち去られることも防止できる。また、こだわりの物を飾ることによって、ちょっとしたギャラリーのような感覚を味わうことができ、建物の持ち主、通行者ともに楽しめるものとなる。
【実施例２】
【００３１】
実施例２は請求項１及び２記載の発明の実施の形態であり、以下図面４及び５に基づいて説明をする。
図４は実施例２の縦断面図を示す。実施例２は基本的な構成は、実施例１と同様であり、相違点としては、開口部２１に引き違い障子３を設けず、陳列空間２５の床面１６が底盤１０を設けず地面になっていることである。よって、実施例１と同様の構成の部分については説明を省略する。
また、図５は実施例２の変形例の縦断面図を示す。
【００３２】
本実施例の床下陳列装置Ｂは、ユニット建物Ｄの床下部分に、開口部２１、区画部材２２、照明装置２４、陳列空間２５により構成されている。
【００３３】
ユニット建物Ｄの１階床部分、開口部２１、照明装置２４、立ち上がり部２６、及びスイッチ１３については実施例１と同様の構成であるため、説明は省略する。
【００３４】
陳列空間２５については、開口部２１に連設する床下部分を屋外から観賞可能な陳列空間２５が設けられている。また、この陳列空間２５は、前記開口部２１を残して、コンクリートブロックを積み上げた壁状の区画部材２２によって背面、側面が各々区画されている。背面の区画部材２２は開口部２１より奥行き方向に４５０ｍｍの位置にあり、対面する側面の区画部材２２間の長さは開口部２１の幅と同寸法となっている。更に、背面及び側面それぞれの区画部材２２の屋内側には断熱材１５が被覆されている。
また、天井面は化粧合板１４を床梁７にビス留めすることにより区画されている。床面１６は陳列空間２５の全体にわたり、底盤を設けずに、地面のまま残し土が露出した状態となっている。
【００３５】
次にこの床下陳列装置Ｂの使い方を説明する。例えば、陳列物として草花を飾る場合は、陳列空間２５の床面１６に、開口部２１から草花を直接植える。草花は開口部２１から入射する日照により光を受けて成長する。また、草花への水やりも開口部２１より行う。また、夜間に観賞したり、効果的に観賞する場合は、建物の室内の壁面に設けたスイッチ１３を操作し、陳列空間２５の天井面に設けられた照明装置２４を点灯させる。
【００３６】
本実施例の構成により、見栄えの良くないとされる建物外周縁の床下部分に、建物の外部から観賞可能な陳列空間２５が構成され、建物の個性を出すことができる。また、建物の外観や街並み景観の向上にもつながる。
また、照明装置２４により、陳列物が照らされて効果的に観賞したり、夜間でも観賞することができる。
また、実施例１とは異なり、陳列空間２５の床面１６が地面のまま残されているため、陳列物として草花を飾る場合に直接地面に植えることが可能である。また、開口部２１に引き違い障子３（透明な仕切り部材）が設けられていないため、草花の世話が開口部２１から容易に行うことができる。
【００３７】
なお、実施例２では、陳列空間の床面１６全体を地面のまま残し土が露出した状態としたが、図５の床面１６ように陳列空間の一部だけを地面を残し土が露出した状態にし、その他の部分はベタ基礎によりコンクリートの底盤２０としてもよい。この構成では、草花等を地面に直接植え込むことが可能でありながら、草花を植え込んでいない部分がコンクリートの底盤２０となっているため、雑草等が生えることがなく、目的の草花のみが育ちやすい。
【実施例３】
【００３８】
実施例３は請求項４記載の発明の実施の形態であり、以下図面６に基づいて説明をする。
図６は実施例３の縦断面図を示す。実施例３は基本的な構成は実施例１と同様であり、相違点としては、ユニット建物Ｄの１階床部分の床板９に床開口部３７が設けられていることである。よって、実施例１と同様の構成の部分については説明を省略する。
また、図７、図８はこの実施例３の変形例の縦断面図を示す。
【００３９】
本実施例の床下陳列装置Ｃは、ユニット建物Ｄの床下部分に、開口部３１、区画部材３２、引き違い障子３３（透明な仕切り部材）、照明装置３４、陳列空間３５、床開口部３７により構成されている。
【００４０】
ユニット建物Ｄの１階床部分、開口部３１、照明装置３４、立ち上がり部３６、及びスイッチ１３については実施例１と同様の構成であるため、説明は省略する。
【００４１】
陳列空間３５については、開口部３１に連設する床下部分を屋外から観賞可能な陳列空間３５が設けられている。また、この陳列空間３５は、前記開口部３１を残して、コンクリートブロックを積み上げた壁状の区画部材３２によって背面、側面が各々区画されている。背面の区画部材３２は開口部３１より奥行き方向に４５０ｍｍの位置にあり、対面する側面の区画部材３２間の長さは開口部３１の幅と同寸法となっている。更に、背面及び側面それぞれの区画部材３２の屋内側には断熱材１５が被覆されている。
また、陳列空間の上部である１階床部分の床板９には床開口部３７が、陳列空間３５の幅と同寸法で設けられている。また、この床開口部３７には透明部材でできた蓋３８が開閉自在に設けられている。また、陳列空間３５の床面１６は陳列空間３５の全体にわたりベタ基礎によりコンクリートの底盤３０が形成されている。
【００４２】
次にこの床下陳列装置Ｃの使い方を説明する。例えば、陳列物として陶器を飾る場合は、ユニット建物Ｄの１階床面の蓋３８を開けて、床開口部３７を出現させ、床開口部３７から陶器を陳列空間３５内に飾る。このことより、開口部３１を通して屋外から陳列空間に飾られた陶器を観賞でき、更に、床開口部３７の透明部材でできた蓋３８を通して建物の室内からも陳列空間に飾られた陶器を観賞できる。また、夜間での観賞又は、より効果的に観賞できるようにする場合は、建物の室内の間仕切に設けられたスイッチ１３を操作し、陳列空間５の天井面に設けられた照明装置４を点灯させて観賞する。
【００４３】
本実施例の構成により、見栄えの良くないとされる建物外周縁の床下部分に、建物の外部から観賞可能な陳列空間３５が構成され、建物の個性を出すことができる。また、建物の外観や街並み景観の向上にもつながる。
また、照明装置３４により、陳列物が照らされて効果的に観賞したり、夜間でも観賞することができる。
また、実施例１とは異なり、陳列空間３５への陳列物の出し入れがユニット建物Ｄの１階床面に設けられた床開口部３７より行うことができる。また、床開口部３７の透明部材でできた蓋３８を通して陳列物の観賞もできる。
【００４４】
なお、図６では、陳列空間３５の床面全体をベタ基礎によりコンクリートの底盤１０としたが、図４と同様に、地面のまま残し土が露出した状態とし、草花を植えた図７のようにしてもよい。
また、図８のように図６の陳列空間３５の奥行きを長くした位置に区画部材３２を設け、陳列空間３５に水槽を陳列し、その奥にポンプなどの設備を置くスペースも確保するものとしてもよい。
【００４５】
以上、本発明の２つの実施例を説明したが、本発明は上記実施例に限定されるものではなく、本発明の要旨を逸脱しない範囲の設計変更があっても本発明に含まれるのは勿論である。例えば、区画部材を円弧状に構成としたものであっても良い。
【産業上の利用可能性】
【００４６】
見栄えの良くないとされる建物外周縁の床下部分に趣味の物や草花等を飾ることが可能な床下陳列装置として有効である。
【図面の簡単な説明】
【００４７】
【図１】本発明に係る実施例１の床下陳列装置Ａの斜視図
【図２】本発明に係る実施例１の床下陳列装置Ａの縦断面図
【図３】本発明に係る実施例１の床下陳列装置Ａの平面図
【図４】本発明に係る実施例２の床下陳列装置Ｂの縦断面図
【図５】本発明に係る実施例２の変形例の床下陳列装置の縦断面図
【図６】本発明に係る実施例３の床下陳列装置Ｃの縦断面図
【図７】本発明に係る実施例３の変形例の床下陳列装置の縦断面図
【図８】本発明に係る実施例３の変形例の床下陳列装置の縦断面図
【符号の説明】
【００４８】
Ａ、Ｂ、Ｃ      床下陳列装置
Ｄ              ユニット建物
１、２１、３１  開口部
２、２２、３２  区画部材
３、３３        引き違い障子（透明な仕切り部材）
４、２４、３４  照明装置
５、２５、３５  陳列空間
６、２６、３６  立ち上がり部
３７            床開口部
３８            蓋
７              床梁
８              床根太
９              床板
１０、２０、３０  底盤（基礎）
１１              断熱材
１２              錠
１３              スイッチ
１４              化粧合板
１５              断熱材
１６              床面
１７              建物の屋外
【図１】
2006194064.tif 000003
【図２】
2006194064.tif 000004
【図３】
2006194064.tif 000005
【図４】
2006194064.tif 000006
【図５】
2006194064.tif 000007
【図６】
2006194064.tif 000008
【図７】
2006194064.tif 000009
【図８】
2006194064.tif 000010